(57)【要約】      （修正有）【課題】短い圧縮室を持ち、小さい体積、軽量、低コストおよび鋳造し易いエアポンプのための接続部品を提供する。【解決手段】エアポンプのための接続部品は、第１の接続板２０と第２の接続板とを有し、第１の接続板の底部は第２の接続板の上部に接続される。第１の取り付け孔が第１の接続板に設けられ、圧縮室１０が第１の取り付け孔内に取り付けられる。第２の取り付け孔が第２の接続板に設けられ、動力装置４０が第２の取り付け孔内に取り付けられる。第１および第２の取り付け孔はいずれも貫通孔である。エアポンプは、接続部品を介して互いに接続された動力装置と伝達装置とを含む。【選択図】図１
2013142385.tif 000002
【特許請求の範囲】
【請求項１】
第１の接続板と第２の接続板とを有し、
前記第１の接続板の底部は前記第２の接続板の上部に接続され、
第１の取り付け孔が前記第１の接続板に設けられるとともに、第２の取り付け孔が前記第２の接続板に設けられ、
前記第１の取り付け孔および前記第２の取り付け孔はいずれも貫通孔である、
接続部品。
【請求項２】
圧縮室が前記第１の取り付け孔を介して前記第１の接続板に固定され、
動力装置が前記第２の取り付け孔を介して前記第２の接続板に固定される、
請求項１に記載の接続部品。
【請求項３】
補助孔が前記第２の接続板に設けられ、前記補助孔は貫通孔である、
請求項１に記載の接続部品。
【請求項４】
前記第１の接続板の底部は前記第２の接続板の上部と垂直に接続する、
請求項１に記載の接続部品。
【請求項５】
少なくとも１つの取り付け孔が前記第１の接続板および前記第２の接続板それぞれに設けられる、
請求項１に記載の接続部品。
【請求項６】
動力装置と伝達装置とを含むエアポンプであって、
前記動力装置と前記伝達装置とは、請求項１に記載の接続部品を介して互いに接続される、
エアポンプ。
【請求項７】
前記動力装置は電気モータであり、
第１の伝達ギアが前記電気モータの出力シャフトに取り付けられ、
前記伝達装置は、第１の接続シャフトと接続ロッドのための第１のピストンとを有し、
前記第１の接続シャフトは前記第１の伝達ギアの偏心位置に固定され、
前記第１のピストンの一方の端部が前記第１の接続シャフトに取り付けられるとともに、前記第１のピストンの他方の端部がピストンリングに取り付けられ、
前記第１のピストンは圧縮室の内部に取り付けられるとともに、前記圧縮室は前記第１の取り付け孔に取り付けられ、
前記電気モータが第２の接続板に固定され、前記電気モータの前記出力シャフトが前記動力装置取り付け孔を通り抜ける、
請求項６に記載のエアポンプ。
【請求項８】
第２の伝達ギアが前記補助取り付け孔に設けられ、
前記第２の伝達ギアは、前記第２の伝達ギアの偏心位置に取り付けられた第２の接続シャフトを有し、
前記第２の接続シャフトは別の接続ロッドのための第２のピストンに取り付けられる、
請求項７に記載のエアポンプ。
【発明の詳細な説明】
【技術分野】
【０００１】
本発明は、コネクタ、特にポータブルエアポンプに適用される接続部品を含むコネクタおよび接続部品を採用するある種のエアポンプに関する。
【背景技術】
【０００２】
エアポンプはインフレータブルポンプまたは空気入れとも言われ、エアポンプは通常モータの動作に基づいて動く。ガス排気プロセス中、ピストンのチェックバルブが大気圧により開かれ、空気がエアポンプ内に入ることを可能にする。ガス充填プロセス中、ピストンのチェックバルブはエアポンプの内部圧力により閉じられるので、空気をタイヤに供給する。エアポンプは自動車、自動二輪車および自転車の分野で広く使用される。エアポンプにおいて、動力装置と伝達装置とを接続するために接続部品が使用され、その結果、動力装置の出力シャフトと伝達装置の伝達軸との垂直な接続を形成することが要請されている。現在、２つの一般的なタイプの接続部品がある。第１のタイプに関して、プラスチック構造が採用され、欠点は、かなり長い圧縮室、大きい体積、および高いコスト消費である。第２のタイプに関して、鋳鉄構造が採用され、欠点は、かなり長い圧縮室、かなり重い重量、および高いコスト消費である。
【発明の概要】
【発明が解決しようとする課題】
【０００３】
かなり長い圧縮室、大きい体積、重い重量および高いコスト等の欠点を有するこれらの従来技術に対して、本発明により解決される１つの技術的な課題は、かなり短い圧縮室を持ち、小さい体積、軽量、低コストおよび鋳造し易いエアポンプのための接続部品を提供することである。
【０００４】
かなり長い圧縮室、大きい体積、重い重量および高いコスト等の欠点を有するこれらの従来技術に対して、本発明により解決される１つのさらなる技術的な課題は、上述の接続部品により接続されたある種のエアポンプを提供することである。
【課題を解決するための手段】
【０００５】
本発明の１つの態様によれば、接続部品は第１の接続板と第２の接続板とを含み、第１の接続板の端部は第２の接続板の端部に接続される。実施形態では、第１の接続板の底端部が第２の接続板の上端部に接続される。第１の取り付け孔が第１の接続板に設けられる。第１の取り付け孔は、圧縮室が挿入されることができ、圧縮室を第１の接続板に固定する。第２の取り付け孔が第２の接続板に設けられる。第２の取り付け孔は、動力装置が挿入されることができ、動力装置を第２の接続板に固定する。第１および第２の取り付け孔はいずれも貫通孔である。
【０００６】
本発明の実施形態では、補助取り付け孔が第２の接続板に設けられ、補助取り付け孔は貫通孔である。
【０００７】
本発明の実施形態では、第１の接続板の底部は第２の接続板の上部と垂直に接続する。
【０００８】
本発明の実施形態では、少なくとも１つの取り付け孔が第１および第２の接続板それぞれに設けられる。
【０００９】
本発明の他の態様によれば、エアポンプは動力装置と伝達装置とを含み、動力装置と伝達装置とは上述の接続部品を介して互いに接続される。
【００１０】
本発明の実施形態では、動力装置は、電気モータを含み、この電気モータの出力シャフトは第１の伝達ギアを備える。伝達装置は、第１の接続シャフトと接続ロッドのための第１のピストンとを有する。第１の接続シャフトは第１の伝達ギアの偏心位置に固定され、第１のピストンの一方の端部が第１の接続シャフトに取り付けられるとともに、第１のピストンの他方の端部がピストンリングに取り付けられる。第１のピストンは圧縮室の内部に取り付けられ、圧縮室は第１の取り付け孔に固定される。電気モータが第２の接続板に固定され、出力シャフトが電気モータを第２の接続板と接続するために第２の取り付け孔を通り抜ける。
【００１１】
本発明の実施形態では、第２の伝達ギアが補助取り付け孔に設けられる。第２の伝達ギアは、第２の伝達ギアの偏心位置に取り付けられた第２の接続シャフトを有する。さらに、接続ロッドのための第２のピストンが第２の接続シャフトに取り付けられる。
【００１２】
本発明による接続部品は次の有益な効果を提供し得る。第１および第２の接続板は一体の装置として組み立てられるまたは一体化され得るので、接続部品は単純化された構造を有し、鋳造が容易であり、小さい体積を有し、軽量で低コスト消費である。本開示による接続部品により接続されたエアポンプもまた、構造が単純で、鋳造が容易であり、小さい体積を有し、軽量、低コスト消費である。
【００１３】
以下の図面および実施形態を参照して本発明が説明される。
【図面の簡単な説明】
【００１４】
【図１】図１は、本発明の１つの実施形態によるエアポンプの構造の概略図である。
【図２】図２は、本発明の１つの実施形態による伝達装置の構造の概略図である。
【図３】図３は、本発明の１つの実施形態による圧縮室の構造の概略図である。
【図４】図４は、本発明の１つの実施形態による接続部品の構造の概略図である。
【発明を実施するための形態】
【００１５】
本発明の目的、技術的解決方法および利点をより明確にするために、以下の説明はさらに図面および実施形態とともに本発明を詳細に説明する。本明細書の特定の実施形態は本発明を説明するためだけに使用され、本発明を限定するものではないことが理解されるべきである。
【００１６】
図４に示されるように、本発明の１つの実施形態は、エアポンプのための接続部品を提供する。接続部品は、第１の接続板２０と第２の接続板２１とを有する。任意の標準的な鋼板または当業者に知られたほかの材料によって形成された平板が、第１の接続板２０および第２の接続板２１を作るために使用され得る。第１の接続板２０の端部は第２の接続板２１の端部に接続し、図４を参照すると、第１の接続板２０の底部は第２の接続板２１の上部に接続される。第１の接続板２０および第２の接続板２１は、一緒に組み立てられるまたは一体部品（ユニボディ）に一体化されることができ、単純な構造を提供するとともに鋳造が容易である。第１の取り付け孔２２が第１の接続板２０に設けられる。この第１の取り付け孔２２に基づいて、圧縮室が第１の接続板２０に固定される。つまり、圧縮室は、第１の接続板２０に結合するように第１の取り付け孔２２を通り抜ける。第２の取り付け孔２３が第２の接続板２１に設けられる。この第２の取り付け孔２３を通って、動力装置の出力シャフトが延びるとともに動力装置を第２の接続板２１に接続する。第１および第２の取り付け孔２２、２３はいずれも貫通孔である。
【００１７】
有利には、補助取り付け孔２４が第２の接続板２１に設けられ、この補助取り付け孔２４は貫通孔である。補助取り付け孔２４は、伝達装置の伝達ギア等、他の装置を取り付けるために使用され得る。
【００１８】
有利には、第１の接続板２０の底部は第２の接続板２１の上部と垂直に接続する。これらの接続板の機能は、動力装置により提供される動力の伝達方向を変更することである。動力装置の出力シャフトが垂直方向にある一方、伝達システムを通って、動力は水平シャフトに出力され得る。
【００１９】
有利には、少なくとも１つの第１の取り付け孔および少なくとも１つの第２の取り付け孔が、圧縮室および動力装置をそれぞれ固定するために、第１の接続板２０および第２の接続板２１に別々に設けられる。
【００２０】
図１に示されるように、本発明の１つの実施形態は、エアポンプを提供する。エアポンプは動力装置と伝達装置とを有し、動力装置と伝達装置とは接続部品を介して互いに接続される。
【００２１】
図１、２に示されるように、電気モータ４０が本発明の動力装置であるように適用される。第１の伝達ギア４１が電気モータ４０の出力シャフトに取り付けられる。本発明の伝達装置は、第１の接続シャフトと接続ロッドのための第１のピストンとを有し、さらに、第１の接続シャフトの一方の端部は第１の伝達ギア４１の偏心位置に固定される。偏心位置は、第１の伝達ギア４１の円形面の中心と周辺との間の任意の位置であり得る。第１のピストンが第１の接続シャフトの周りを自由に回転できるように、第１のピストンの一方の端部は第１の接続シャフトに結合される。第１のピストンの他方の端部はピストンリングに取り付けられる。第１のピストンは、圧縮室１０内に取り付けられ、圧縮室１０は第１の取り付け孔２２に取り付けられるので、圧縮室１０を第１の接続板２０に接続する。電気モータ４０は第２の接続板２１に固定され、電気モータ４０出力シャフトは、第２の接続板２１を電気モータ４０と接続するために第２の取り付け孔２３を貫通する。
【００２２】
有利には、第２の伝達ギア３２が補助取り付け孔２４に取り付けられる。第２の接続シャフト３１が第２の伝達ギア３２の偏心位置に取り付けられ、さらに、別の接続ロッドのための第２のピストン３０が第２の接続シャフト３１に設けられる。第２の伝達ギア３２の機能は速度を減少させることであり、第１の伝達ギア４１と第２の伝達ギア３２との間の伝達は、ピストンの動作周波数に応じて調整され得る。
【００２３】
少なくとも１つの第１の接続孔および第２の接続孔が、圧縮室１０に設けられる。図３に示されるように、２つの接続孔１２が圧縮室１０の前面に設けられ、圧縮室１０は技術分野において既知の接続ファスナ（留め具）を通じて他の物体に固定される。２つの第２の接続孔１１が圧縮室１０の後端部に設けられ、圧縮室１０は既知の接続ファスナ（留め具）を通じて第１の接続板２０に固定される。
【００２４】
実施形態において、エアポンプの動作プロセスが次に開示される。電気モータ４０の出力シャフトに接続された第１の伝達ギア４１は第２の伝達ギア３２を駆動し、第２の伝達ギア３２に取り付けられた第２の接続シャフト３１は第２の伝達ギア３２の回転に応じて回転し、そして、第２のピストン３０はピーク位置と最底位置との間で往復運動する。
【００２５】
当業者は上述の内容にしたがって使用方法をさらに改善または変更することができるが、全ての改善および変更が本発明の保護範囲の権利の中にあることが理解されるべきである。
【図１】
2013142385.tif 000003
【図２】
2013142385.tif 000004
【図３】
2013142385.tif 000005
【図４】
2013142385.tif 000006